(57)【特許請求の範囲】
【請求項１】
自動車のキーの収納装置を用いたキーロックシステムであって、
前記収納装置は、
前記キーの収納部と、
前記キーを前記収納部へ収納した際の前記収納装置の状態をロックするロック装置と、
該ロック装置のロック状態を保つ時間を設定するタイマーと、
を具備することを特徴とするキーロックシステム。
【請求項２】
前記収納装置はキーカバーであって、該キーカバーは、前記ロック装置として、回転面が共通で回転軸が平行な一対のギアであって、該一対のギアは互いの歯面間に所定のギャップを有して配設されるものと、前記一対のギアの歯に押し付けて前記一対のギアを回転不能とするギアストッパーと、該ギアストッパーの前後進を行う駆動装置であって、ソレノイドバルブにより前後進の切り替えを行うものと、を具備し、前記一対のギアの前記ギャップに前記キーを挿入して、前記駆動装置により前記ギアストッパーを前進させ前記キーを前記一対のギアのギャップ部から引き抜き不能に固定し、前記タイマーをセットすることで、前記キーを一定時間使用不能とすることを特徴とする請求項１に記載のキーロックシステム。
【請求項３】
前記収納装置はキーケースであって、該キーケースは、前記ロック装置として、前記キーケースの蓋に配設された止め金と、前記キーケース本体に配設され、前記止め金に係合して前記蓋を施錠する突片と、該突片の前後進を行う駆動装置であって、ソレノイドバルブにより前後進の切り替えを行うものと、を具備し、前記キーケースに前記キーを収納して、前記駆動装置により前記突片を前進させ前記蓋を施錠し前記キーを前記キーケースから取り出し不能とし、前記タイマーをセットすることで、前記キーを一定時間使用不能とすることを特徴とする請求項１に記載のキーロックシステム。
【請求項４】
前記キーは引掛け部を有しており、前記収納装置はキーホルダーであって、
該キーホルダーは、前記ロック装置として、交叉する２本の部材からなる挟み部材の支点の一方側の挟み部で前記引掛け部を挟み込んで前記引掛け部と係合する挟み部材と、前記挟み部材の前記支点の他方側の開閉部で前記挟み部材の開動作を不能とするストッパーと、該ストッパーの前後進を行う駆動装置であって、ソレノイドバルブにより前後進の切り替えを行うものと、を具備し、前記キーホルダーに前記キーを収納して、前記挟み部で前記引掛け部を挟み込むとともに、前記駆動装置により前記ストッパーを前進させ前記挟み部材の開動作を不能とし、前記キーを前記キーホルダーから引き抜き不能とし、前記タイマーをセットすることで、前記キーを一定時間使用不能とすることを特徴とする請求項１に記載のキーロックシステム。
【請求項５】
自動車のキーに装備されるキーロックシステムであって、
前記キーは、
該キーを使用する際に物理的障害となり、前記キーを使用不能とする障害物と、
該障害物を、前記キーが使用可能な位置と前記キーが使用不能な位置との間を移動させる移動機構と、
前記障害物が移動して前記キーが使用不能な状態をロックするロック装置と、
該ロック装置のロック状態を保つ時間を設定するタイマーと、
を具備することを特徴とするキーロックシステム。
【請求項６】
前記障害物は、前記キーの保持部分に設けられた棒状部材であり、前記移動機構は前記棒状部材をスライドさせるスライド機構であって、前記ロック装置として、前記棒状部材に設けられたラックギアと、該ラックギアに係合して前記棒状部材をスライド不能とするラックストッパーと、該ラックストッパーの前後進を行う駆動装置であって、ソレノイドバルブにより前後進の切り替えを行うものと、を具備し、前記棒状部材を前記キーが使用不能な位置にスライドさせ、前記駆動装置により前記ラックストッパーを前進させ前記棒状部材の前記ラックギアに係合させることで、前記棒状部材を固定して前記キーを使用不能とし、前記タイマーをセットすることで、前記キーを一定時間使用不能とすることを特徴とする請求項５に記載のキーロックシステム。
【請求項７】
前記障害物は、前記キーの保持部分に設けられたキーカバーであり、前記移動機構は前記キーカバーをスライドさせるスライド機構であって、前記ロック装置として、前記キーカバーに設けられたラックギアと、該ラックギアに係合して前記キーカバーをスライド不能とするラックストッパーと、該ラックストッパーの前後進を行う駆動装置であって、ソレノイドバルブにより前後進の切り替えを行うものと、を具備し、前記キーカバーを前記キーが使用不能な位置にスライドさせ、前記駆動装置により前記ラックストッパーを前進させ前記キーカバーの前記ラックギアに係合させることで、前記キーカバーを固定して前記キーを使用不能とし、前記タイマーをセットすることで、前記キーを一定時間使用不能とすることを特徴とする請求項５に記載のキーロックシステム。
【請求項８】
自動車のキーに装備されるキーロックシステムであって、前記キーは、電気信号により自動車のドアの開閉及び／又はエンジン始動を行う機能を有するとともに、前記キーの前記機能を使用不能とするキーロックモードと、前記キーロックモードの状態を保つ時間を設定するタイマーと、を具備することを特徴とするキーロックシステム。
【発明の詳細な説明】
【技術分野】
【０００１】
本発明は、飲酒運転を予防、抑制する自動車キーロックシステムに関します。
【背景技術】
【０００２】
飲酒運転をする人は、飲む前は飲酒運転をしようとは思っていない人が殆どです。しかし飲酒後抑制が効かなくなり運転してしまいます。そういう状況を踏まえ、飲酒前の理性の働く時に自動車のキーをロックして一定時間、酒気が消えるまでキーを使用不能にすることにより、自動車の運転をできないようにするシステムです。運転者が自分でロックすることは勿論、これまでは飲酒運転をしないように声をかけることしかできなかった家族や職場、飲酒店などが自動車のキーをロックすることも可能となり、より効果的、強制的に飲酒運転を予防、抑制することができるようになります。本人が飲酒前の理性のある時に自己責任において、あるいは周りから声を掛け合ってこのシステムを使用することで、飲酒運転を減らすことができると考えられます。
【０００３】
従来の飲酒運転防止装置の発明では、運転者が飲酒状態にあるか否かを検出する検出手段を備えることが必要となっています（特許文献１）。また、電子キーに飲酒店利用情報を記憶する記憶手段が設けられていることが必要となっています（特許文献２）。
【０００４】
これに対し、本発明では上述のようにこれらの発明とは全く異なる発想の発明であるため、上記検出手段や記憶手段は不要となっています。本発明のキーロックシステムは、これらの先行技術とは全く異なる構成となっています。
【先行技術文献】
【特許文献】
【０００５】
【特許文献１】特開２０１１−５１４０２号公報
【特許文献２】特開２００８−２６０３９３号公報
【発明の概要】
【発明が解決しようとする課題】
【０００６】
飲酒運転防止の為、飲酒前にロックした自動車のキー（以降、単にキーと記す）を酒気が抜けるまでの一定時間使用できないようにします。
【課題を解決するための手段】
【０００７】
本発明は、上記課題を解決するため、以下の手段を採用します。
キーにロックをかける時にタイマーをセットすることにより一定時間開錠できないようにします。
【０００８】
キーのロックは、キーを本システムに差し込んでスイッチを押すことによりロックされます。
【発明の効果】
【０００９】
本発明により、飲酒前にロックをかけたキーが一定時間使用できなくなり、飲酒運転が予防、抑制されます。
【図面の簡単な説明】
【００１０】
【図１】本件発明の第１の実施形態の外観図（キー挿入前）です。
【図２】本件発明の第１の実施形態の外観図（キー挿入後）です。
【図３】本件発明の第１の実施形態の構造図（キー挿入前）です。
【図４】本件発明の第１の実施形態の構造図（キー挿入後）です。
【図５】本件発明の第１の実施形態の構造図（タイマーセット後）です。
【図６】（ａ）は本件発明の第２の実施形態の外観図、（ｂ）はロック装置の模式図です。
【図７】（ａ）は本件発明の第３の実施形態の外観図、（ｂ）はキーカバーの外観図、（ｃ）はロック装置の模式図（キー挿入前）、（ｄ）はロック装置の模式図（キー挿入後）、（ｅ）はロック装置の配線図です。
【図８】（ａ）は本件発明の第４の実施形態の外観図（ロック前）、（ｂ）は同外観図（ロック後）、（ｃ）はロック装置の模式図と配線図です。
【図９】（ａ）、（ｂ）は本件発明の第５の実施形態の外観図（ロック前）、（ｃ）は同外観図（ロック後）、（ｄ）はロック装置の模式図と配線図です。
【発明を実施するための形態】
【００１１】
以下に、図を用いて本発明の実施形態について説明します。
まず、第１の実施形態について説明します。
図１は本発明本体２にキー１を挿入する前の状態を示します。
【００１２】
図２は本発明本体２にキー１を挿入した後の状態を示します。
キー１を本発明本体２に差し込んだ後、タイマー３をセットするとことにより一定時間キー１が本発明本体２から抜けないようになります。
【００１３】
図３は構造図でキー１を差し込む前の状態を示します。
本発明本体２はキーを固定する２つのキー挟み込みギア４、ギアストッパー５、両方向可動式自己保持型ソレノイド６（以降、単にソレノイドと記す）、電池７、スイッチ８から構成されます。
【００１４】
図４は自動車キーを本発明本体２に挿入した状態を示します。
２つのキー挟み込みギア４はバネにより隙間が閉まるようになっています。この隙間にキー１を差し込むとバネによりキー１は２つの挟み込みギア４に挟まれた状態になります。
【００１５】
図５はスイッチ８を入れてキー１をロックした状態を示します。
図４の状態にスイッチ８を入れることにより両方向可動式自己保持型ソレノイド６の芯がプッシュされます。これに連動するギアストッパー５がキー挟み込みギア４に噛みこむのでギアに挟み込まれたキー１が抜けないようになります。その時、タイマー３を設定します。タイマー３は酒気が抜けると思われる例えば８時間以上を設定すれば、タイマー３のその設定時間が来るまでキーが抜けません。タイマー３側に電気が流れないと両方向可動式自己保持型ソレノイド６のプル機能に電気が流れない為ロックは解除されません。この機能により一定時間キーを使えないようにします。スイッチ８側の電流とタイマー３側の電流が逆なのでキーの解除はタイマー３側よりのみ可能となります。
【００１６】
次に、第２の実施形態について説明します。
図６（ａ）に示すように、本実施形態のキーロックシステムはキー１を収納するための収納室１２、蓋１３からなるキーケース１１と、タイマー３、スイッチ８、電池７及びロック装置から構成されます。図６（ｂ）に示すようにロック装置として、キーケース１１の蓋１３に配設された止め金（受け穴）１５と、キーケース１１本体に配設され、止め金１５に係合して蓋１３を施錠する止め金１４と、止め金１４の前後進を行う駆動装置であって、ソレノイドバルブ６により前後進の切り替えを行うものを具備しています。
【００１７】
キーケース１１にキー１を収納して、蓋１３を閉じてスイッチ８を入れると、図６（ｂ）のソレノイド６の芯がプッシュされ止め金１４が前進し、蓋１３の止め金（受け穴）１５に係合します。これでキーケース１１の蓋１３はロックされ開けられない状態になります。その時、上述と同様にタイマー３で酒気が抜けると思われる例えば８時間以上を設定すれば、上述と同様の理由によりタイマー３のその設定時間が来るまでキーケース１１の蓋１３を空けることができなくなり、この機能により一定時間キーを使えないようにします。
【００１８】
次に、第３の実施形態について説明します。
図７（ａ）に示すように、本実施形態のキーロックシステムは、キー１自体の保持部に引掛け部１９を有しており、キー１を収納するキーホルダー２０にはロック装置として、交叉する２本の部材からなる挟み部材の支点の一方側の挟み部２２ａでキー１の引掛け部１９を挟み込んで引掛け部１９と係合する挟み部材２２と、挟み部材２２の支点の他方側の開閉部２２ｂで挟み部材２２の開動作を不能とするストッパー２４と、ストッパー２４の前後進を行う駆動装置であって、ソレノイドバルブ６により前後進の切り替えを行うものを具備しています。
【００１９】
キー１を図７（ｂ）に示すキーホルダー２０のキー収納穴２１に挿入して収納すると、その過程で挟み部材２２の挟み部２２ａは、図７（ｃ）の状態から一旦開き、引掛け部１９を挟み込んでバネ２３の力で再び閉じ、挟み部２２ａが引掛け部１９を挟み込んだ図７（ｄ）の状態となります。そこで、スイッチ８を入れると、図７（ｅ）のソレノイド６の芯がプッシュされストッパー２４が前進し、図７（ｄ）に示すように、挟み部材２２の開閉部２２ｂが開動作できないようにロックします。これでキー１はキーホルダー２０から引き抜けない状態になります。その時、上述と同様にタイマー３で酒気が抜けると思われる例えば８時間以上を設定すれば、上述と同様の理由によりタイマー３のその設定時間が来るまでキー１はキーホルダー２０から引き抜けなくなり、この機能により一定時間キーを使えないようにします。
【００２０】
次に、第４の実施形態について説明します。
図８（ａ）、（ｂ）に示すように、本実施形態のキーロックシステムは、キー１自体に、使用する際に物理的障害となり、キー１を使用不能とする突っ張り棒９と、スライドスイッチ９ａにより、キー１が使用可能な図８（ａ）に示す後退位置とキー１が使用不能な図８（ｂ）に示す前進位置との間において突っ張り棒９をスライドさせるスライド機構と、スライドスイッチ９ａが前進して、突っ張り棒９が突出したキー１が使用不能な状態をロックするロック装置であって、突っ張り棒９に設けられたラックギア１０と、ラックギア１０に係合して突っ張り棒９をスライド不能とするラックストッパー１７と、ラックストッパー１７の前後進を行う駆動装置であって、ソレノイドバルブ６により前後進の切り替えを行うものを具備しています。  
【００２１】
キー１のスライドスイッチ９ａを前進させて突っ張り棒９を突出させた状態でスイッチ８を入れると、図８（ｃ）のソレノイド６の芯がプッシュされラックストッパー１７が前進し、突っ張り棒９のラックギア１０に係合します。これで突っ張り棒９はキー１が使用可能な位置まで後退できなくなります。その時、上述と同様にタイマー３で酒気が抜けると思われる例えば８時間以上を設定すれば、上述と同様の理由によりタイマー３のその設定時間が来るまで突っ張り棒９はキー１が使用可能な位置まで後退することができなくなり、この機能により一定時間キーを使えないようにします。
【００２２】
次に、第５の実施形態について説明します。
図９（ａ）〜（ｃ）に示すように、本実施形態のキーロックシステムは、
キー１自体の保持部分に、使用する際に物理的障害となり、キー１を使用不能とするスライド式キーカバー１６と、本体２の両端２か所に設けられたスライド溝１８に沿って、キー１が使用可能な図９（ａ）に示す後退位置と、キー１が使用不能な図９（ｃ）に示す前進位置との間においてスライド式キーカバー１６をスライドさせるスライド機構と、スライド式キーカバー１６が前進してキー１が使用不能な状態をロックするロック装置であって、スライド式キーカバー１６に設けられたラックギア１０と、ラックギア１０に係合してスライド式キーカバー１６をスライド不能とするラックストッパー１７と、ラックストッパー１７の前後進を行う駆動装置であって、ソレノイドバルブ６により前後進の切り替えを行うものを具備しています。  
【００２３】
キー１のスライド式キーカバー１６を前進させた状態でスイッチ８を入れると、図９（ｄ）のソレノイド６の芯がプッシュされラックストッパー１７が前進し、スライド式キーカバー１６のラックギア１０に係合します。これでスライド式キーカバー１６はキー１が使用可能な位置まで後退できなくなります。その時、上述と同様にタイマー３で酒気が抜けると思われる例えば８時間以上を設定すれば、上述と同様の理由によりタイマー３のその設定時間が来るまでスライド式キーカバー１６はキー１が使用可能な位置まで後退することができなくなり、この機能により一定時間キーを使えないようにします。
【００２４】
次に、第６の実施形態について説明します。
本実施形態のキーロックシステムは、上記第１〜第５の実施形態の機械的なキーロックシステムとは異なり、キーが電気信号により自動車のドアの開閉及び／又はエンジン始動を行う機能を有するいわゆる電子キーに対応するキーロックシステムです。
【００２５】
上記第１〜第５の実施形態のような機械的なロックシステムにおいては、キーを使用不能とする機能を発揮させる具体的な機構を創造することが不可欠です。これに対して電子キーの場合はむしろ容易にキーを使用不能とすることができます。具体的には、例えば通常のキーの機能を発揮させる電気的な条件の部分に、上記のタイマーの信号を介在させ、タイマーの設定時間が経過していなければ通常のキーの機能を発揮できないように構成することは容易であると考えられます。ただし、機械的なロック機構を備えずに、電気的な条件のみでキーロックシステムを構成する本実施形態の場合には、後述するように、容易にキーロックシステムが解除されてしまわないようにする必要があると考えられます。
【００２６】
以上説明しましたように、本発明は、飲酒状態を検知して運転を不可能たらしめ飲酒運転を防止しようとする従来の飲酒運転防止装置とは発想を異にするものです。すなわち、本発明のキーロックシステムは、本人あるいは周囲の人間が飲酒の前の段階において、「自主的に」キーをロックしてしまうためのシステムです。キーがロックされている時間については、飲酒前に本人あるいは周囲の人間が、酒気が抜けるであろう一定時間を決定して設定します。そして、一旦タイマーを設定したらその時間が経過するまではキーはロックされ使用できなくなります。本人の飲酒状態すなわち、軽い酩酊状態であるか、あるいは泥酔状態であるか等にかかわらず、理性の働く飲酒前に自主的に決めた時間が経過するまではキーが使えないようにするということです。これにより、本発明のキーロックシステムでは飲酒状態を検知するための高度の技術や、そのような検知装置の使用手順等、従来の飲酒運転防止装置に欠かせなかった要素が一切不要となっているのです。
【００２７】
本発明を製品化する場合は、キーをロックしてタイマーを設定した後、特別な事情によりキーをタイマーの設定時間内に使用する必要が生じた場合には、タイマーのリセットによりキーを使用可能にする機能を加えたものを１つの機種として加えておくことが考えられます。しかし、そのリセット機能については１度使用した段階で製品のキーロックシステムとしての全機能が失われることにしておく必要があります。このリセット機能が何度も使用できてしまうと、本発明の目的である飲酒運転の予防、抑制ができなくなるからです。
【００２８】
なお、本発明の技術範囲は上記実施の形態に限定されるものではなく、本発明の趣旨を逸脱しない範囲において種々の変更を加えることが可能です。
【産業上の利用可能性】
【００２９】
飲酒運転を予防、抑制することが可能なので、個人、法人単位での飲酒運転予防、抑制グッズとして幅広く使用できると思われます。
【符号の説明】
【００３０】
１  キー
２  本発明本体
３  タイマー
４  キー挟み込みギア
５  ギアストッパー
６  両方向可動式自己保持型ソレノイド
７  電池
８  スイッチ
９  突っ張り棒
９ａ  スライドスイッチ
１０  ラックギア
１１  キーケース
１２  収納室
１３  蓋
１４  止め金
１５  止め金（受け穴）
１６  スライド式キーカバー
１７  ラックストッパー
１８  スライド溝
１９  引掛け棒
２０  キーホルダー
２１  キー収納穴
２２  挟み部材
２２ａ  挟み部
２２ｂ  開閉部
２３  バネ
２４  ストッパー
【要約】      （修正有）【課題】飲酒運転防止の為、飲酒前にロックした自動車のキーを、酒気が抜けるまでの一定時間使用できないようにする自動車のキーロックシステムを提供する。【解決手段】本体にキー１を挿入してスイッチ８を入れることにより両方向可動式自己保持型ソレノイド６の芯がプッシュされて前進し、これに連動するギアストッパー５がキー挟み込みギア４に噛みこむのでギア４に挟み込まれたキー１が抜けないようになる。その時タイマー３を、酒気が抜けると思われる例えば８時間以上に設定することにより、その設定時間が来るまでキー１が本体から抜けないようにロックされる。スイッチ８側の電流とタイマー３側の電流は逆向きで、キー１の解除はタイマー３側よりのみ可能であり、設定時間が来てタイマー３側に電気が流れない限りソレノイド６のプル機能が働かない為ロックは解除されない。【選択図】図５【図１】
0005261623.tif 000002
【図２】
0005261623.tif 000003
【図３】
0005261623.tif 000004
【図４】
0005261623.tif 000005
【図５】
0005261623.tif 000006
【図６】
0005261623.tif 000007
【図７】
0005261623.tif 000008
【図８】
0005261623.tif 000009
【図９】
0005261623.tif 000010